(57)【要約】【課題】  簡易な構成でありながら流動体の漏洩を確実に防止でき、また、流動体吐出ポンプの清潔な状態を維持することが可能な流動体吐出ポンプを提供することを目的とする。【解決手段】  流動体吐出ポンプ１は、シリンダ１１と、シリンダ１１内を往復移動可能なピストン１２と、ノズルヘッド２とピストン１２とを連結する連結筒１３と、連結筒１３を介してピストン１２を上昇させる方向に付勢するためのコイルバネ１７と、流動体貯留部４内に貯留された流動体をシリンダ１１内に流入させるための流入弁機構１４と、シリンダ１１内に流入した流動体をノズルヘッド２に流出させるための流出弁機構１５と、ノズルヘッド２に応力が付与されていない状態において、シリンダ１１内に流入した流動体の連結筒１３の流動体流通路１３１への漏洩を防止する漏洩防止機構１８とを備える。【選択図】        図４
2005280712.tif 000002
【特許請求の範囲】
【請求項１】
流動体貯留部の上方に配設されたノズルヘッドを押圧することにより、前記流動体貯留部内に貯留された流動体を前記ノズルヘッドから吐出させるための流動体吐出ポンプにおいて、
前記流動体貯留部の上部に配設されたシリンダと、
前記シリンダ内を往復移動可能なピストンと、
前記ノズルヘッドと前記ピストンとを連結することにより、前記ノズルヘッドに付与された押圧力を前記ピストンに伝達して前記ピストンを下降させるための、中空状の流動体流通路が形成された連結筒と、
前記連結筒を介して前記ピストンを上昇させる方向に付勢するための、前記連結筒の外周部に配設された弾性部材と、
前記流動体貯留部に貯留された流動体を、前記シリンダ内に流入させるための流入弁機構と、
前記シリンダ内に流入した流動体を前記連結筒の流動体流通路を介して前記ノズルヘッドに流出させるための流出弁機構と、
前記連結筒の下部に配設され、前記ノズルヘッドに押圧力が付与されていない状態において、前記シリンダ内に流入した流動体の前記連結筒の流動体流通路への漏洩を防止する漏洩防止機構と、
を備えることを特徴とする流動体吐出ポンプ。
【請求項２】
請求項１に記載の流動体吐出ポンプにおいて、
前記漏洩防止機構は、
開口部を有する本体と、
前記本体の開口部を閉止する閉止位置と、前記本体の開口部を開放する開放位置との間を前記連結筒とともに移動する蓋部材と、
から構成される流動体吐出ポンプ。
【請求項３】
請求項２に記載の流動体吐出ポンプにおいて、
前記漏洩防止機構における本体は、前記シリンダの一部である流動体吐出ポンプ。
【請求項４】
請求項２に記載の流動体吐出ポンプにおいて、
前記漏洩防止機構における本体は、前記流入弁機構の一部である流動体吐出ポンプ。
【発明の詳細な説明】
【技術分野】
【０００１】
この発明は、ノズルヘッドを押圧することにより、流動体貯留部内に貯留された流動体をノズルヘッドから吐出するための流動体吐出ポンプに関する。
【背景技術】
【０００２】
このような流動体吐出ポンプとしては、流動体を吐出するためのノズルヘッドと、流動体を貯留する流動体貯留部と、流動体貯留部の上方に配設されたシリンダと、ノズルヘッドを押圧することによりシリンダ内を往復移動可能なピストンと、流動体貯留部に貯留された流動体をピストンの上昇動作に伴ってシリンダ内に流入させるための流入弁機構と、シリンダ内に流入した流動体をピストンの下降動作に伴ってノズルヘッドに流出させるための流出弁機構とを備えたものが使用されている。
【０００３】
特に、ノズルヘッドを押圧してシリンダを下降させた後、ノズルヘッドへの押圧力を解除してシリンダを再度上昇させるための付勢手段として、金属製のコイルバネを使用した場合に、このコイルバネの腐食を防止して清潔な状態を維持する構成を有する流動体吐出ポンプとして、特許文献１に記載されるような流動体吐出ポンプが知られている。
【０００４】
特許文献１に記載の流動体吐出ポンプは、シリンダ内を往復移動可能なピストンと、ノズルヘッドとピストンとを連結することにより、ノズルヘッドに付与された押圧力をピストンに伝達してピストンを下降させるための中空状の第１、第２連結筒と、ピストンを上昇させる方向に付勢するための第１、第２連結筒の外周部に配設されたコイルバネと、流動体貯留部に貯留された流動体をピストンの上昇動作に伴ってシリンダ内に流入させるための第１の弁機構と、シリンダ内に流入させるための第１の弁機構と、シリンダ内に流入した流動体をピストンの下降動作に伴って第１、第２連結筒の内部を介してノズルヘッドに流出させるための第２の弁機構とを備える。
【特許文献１】特開２００２−６６４０１号公報
【発明の開示】
【発明が解決しようとする課題】
【０００５】
しかしながら、特許文献１に記載の流動体吐出ポンプは、第１、第２連結筒がピストンに対し相対的に下降することにより、シリンダ内部から第１、第２連結筒の内部に至る流通路が形成される構成を有する。このため、シリンダ内部から第１、第２連結筒の内部に至る流通路を完全に閉鎖し、流動体の第１、第２連結筒内部への流動体の漏洩を防止するためには、ピストンおよび第１、第２連結筒において高度の加工精度を必要とする、という問題が生じる。
【０００６】
この発明は、上述した課題を解決するためになされたものであり、簡易な構成でありながら流動体の漏洩を確実に防止でき、また、流動体吐出ポンプの清潔な状態を維持することが可能な流動体吐出ポンプを提供することを目的とする。
【課題を解決するための手段】
【０００７】
請求項１に記載の発明は、流動体貯留部の上方に配設されたノズルヘッドを押圧することにより、前記流動体貯留部内に貯留された流動体を前記ノズルヘッドから吐出させるための流動体吐出ポンプにおいて、前記流動体貯留部の上部に配設されたシリンダと、前記シリンダ内を往復移動可能なピストンと、前記ノズルヘッドと前記ピストンとを連結することにより、前記ノズルヘッドに付与された押圧力を前記ピストンに伝達して前記ピストンを下降させるための、中空状の流動体流通路が形成された連結筒と、前記連結筒を介して前記ピストンを上昇させる方向に付勢するための、前記連結筒の外周部に配設された弾性部材と、前記流動体貯留部に貯留された流動体を、前記シリンダ内に流入させるための流入弁機構と、前記シリンダ内に流入した流動体を前記連結筒の流動体流通路を介して前記ノズルヘッドに流出させるための流出弁機構と、前記連結筒の下部に配設され、前記ノズルヘッドに押圧力が付与されていない状態において、前記シリンダ内に流入した流動体の前記連結筒の流動体流通路への漏洩を防止する漏洩防止機構とを備えることを特徴とする。
【０００８】
請求項２に記載の発明は、請求項１に記載の流動体吐出ポンプにおいて、前記漏洩防止機構は、開口部を有する本体と、前記本体の開口部を閉止する閉止位置と、前記本体の開口部を開放する開放位置との間を前記連結筒とともに移動する蓋部材とから構成される。
【０００９】
請求項３に記載の発明は、請求項２に記載の流動体吐出ポンプにおいて、前記漏洩防止機構における本体は、前記シリンダの一部である。
【００１０】
請求項４に記載の発明は、請求項２に記載の流動体吐出ポンプにおいて、前記漏洩防止機構における本体は、前記流入弁機構の一部である。
【発明の効果】
【００１１】
請求項１に記載の発明によれば、連結筒の下端に固設され、ノズルヘッドに押圧力が付与されていない状態において、シリンダ内に流入した流動体の連結筒の流動体流通路への漏洩を防止する漏洩防止機構を備えることから、簡易な構成でありながら流動体の漏洩を確実に防止でき、また、流動体吐出ポンプの清潔な状態を維持することが可能となる。
【００１２】
請求項２に記載の発明によれば、漏洩防止機構は、開口部を有する本体と、本体の開口部を閉止する閉止位置と、本体の開口部を開放する開放位置との間を連結筒とともに移動する蓋部材とから構成されることから、製造が容易で、簡易な構成でありながら、流動体の漏洩を確実に防止することが可能となる。
【００１３】
請求項３に記載の発明は、漏洩防止機構における筒部材は、シリンダの一部であることから、製造が容易、かつ、低コストで、簡易な構成でありながら、流動体の漏洩を確実に防止することが可能となる。
【００１４】
請求項４に記載の発明は、漏洩防止機構における筒部材は、流入弁機構の一部であることから、製造が容易、かつ、低コストで、簡易な構成でありながら、流動体の漏洩を確実に防止することが可能となる。
【発明を実施するための最良の形態】
【００１５】
以下、この発明の第１実施形態を図面に基づいて説明する。図１乃至図３は、この発明の第１実施形態に係る流動体吐出ポンプ１を適用した流動体容器の縦断面図である。なお、これらの図のうち、図１は流動体吐出ポンプ１に応力を付与することなく放置した状態を、図２はノズルヘッド２の押圧部２２１が押圧されることにより、連結筒１３がピストン１２とともに下降しつつある状態を、また、図３はノズルヘッド２の押圧部２２１への押圧が解除されることにより、連結筒１３がピストン１２とともに上昇しつつある状態を示している。
【００１６】
この流動体容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。なお、この流動体容器を、一般の薬品や溶剤あるいは食品等の容器として使用してもよい。この明細書においては、高粘度の液体や半流動体あるいはゾルがジェリー状に固化したゲルやクリーム状物等と通常の液体とを含めて流動体と呼称する。
【００１７】
この流動体吐出容器は、この発明の第１実施形態に係る流動体吐出ポンプ１と、ノズルヘッド２と、外蓋３と、その内部に流動体を貯留する流動体貯留部４とから構成される。外蓋３は、ネジ部材１６を介して流動体貯留部４の上端に形成されたネジ部と係合されている。
【００１８】
流動体貯留部４は、円筒状のシリンダ部材４１と、このシリンダ部材４１内を上下方向に移動するピストン部材４２と、複数の通気孔４３ａが形成される内蓋４３と、複数の通気孔４４ａが形成される外蓋４４とを有する。この流動体貯留部４におけるシリンダ部４１と流動体吐出ポンプ１とは、液密な状態で接続されている。
【００１９】
また、ノズルヘッド２は、特願２００３−１９１１９７号に詳細に記載されるような、管状部材２１と、案内部材２２とを有する。管状部材２１は、流動体吐出ポンプ１における流出弁機構１５から流動体を流入させるための流入部２１１と、流入部２１１から流入した流動体を外部へ流出させるための流出部２１２と、案内部材２２により案内される凸部２１３とを有する。案内部材２２は、押圧部２２１と、開放状態において管状部材２１の流入部２１１とを連通する開口部２２２と、管状部材２１を支持し、管状部材２１の開放状態と閉止状態との切替を案内する案内部２２３とを有する。管状部材２１と案内部材２２とは、管状部材２１の凸部２１３と案内部材２２の案内部２２３とが対応するように組み合わされる。
【００２０】
管状部材２１は、案内部材２２に対して管状部材２１の軸心を中心として回転可能となるような状態で、支持される。そして、ノズルヘッド２を、管状部材２１の流入部２１１と案内部材２２の開口部２２２とが連通し、管状部材２１の流入部２１１と後に詳細に説明する流出弁機構１５との間で流動体を流通可能とする開放状態と、流入部２１１と流出弁機構１５との間で流動体の流通を遮断する閉止状態とに切り替えることができる。
【００２１】
この流動体貯留容器においては、図２に示すように、開放状態に切り替えられたノズルヘッド２おける押圧部２２１を押圧して上下方向に往復移動させることにより、後に詳細に説明する流動体吐出ポンプ１の作用で、流動体貯留部４内に貯留された流動体がノズルヘッド２における流出部２１２から吐出される。そして、図３に示すように、流動体貯留部４内の流動体の減少に伴って、ピストン部材４２がシリンダ部材４１内をノズルヘッド２方向に移動する。
【００２２】
なお、この明細書においては、図１乃至図３における上下方向を流動体貯留容器における上下方向と規定する。すなわち、この発明に係る流動多雨貯留容器においては、図１に示すノズルヘッド２側を上方向とし、ピストン部材４２側を下方向とする。
【００２３】
次に、この発明の第１実施形態に係る流動体吐出ポンプ１の構成について説明する。図４乃至図６は、この発明の第１実施形態に係る流動体吐出ポンプ１をノズルヘッド２とともに示す縦断面図である。
【００２４】
なお、これらの図のうち、図４は流動体吐出ポンプ１に応力を付与することなく放置した状態を、図５はノズルヘッド２における押圧部２２１が押圧されることにより、連結筒１３がピストン１２とともに下降しつつある状態を、また、図６はノズルヘッド２の押圧部２２１への押圧が解除されることにより、連結筒１３がピストン１２とともに上昇しつつある状態を示している。
【００２５】
この流動体吐出ポンプ１は、流動体貯留部４の上部に配設されたシリンダ１１と、シリンダ１１内を往復移動可能なピストン１２と、ノズルヘッド２とピストン１２とを連結することにより、ノズルヘッド２に付与された押圧力をピストン１２に伝達してピストン１２を下降させるための中空状の流動体流通路１３１が形成された連結筒１３と、連結筒１３を介してピストン１２を上昇させる方向に付勢するための、連結筒１３の外周部に配設された弾性部材としてのコイルバネ１７と、流動体貯留部４内に貯留された流動体をピストン１２の上昇動作に伴ってシリンダ１１内に流入させるための流入弁機構１４と、シリンダ１１内に流入した流動体を連結筒１３の流動体流通路１３１を介してノズルヘッド２に流出させるための流出弁機構１５と、連結筒１３の下部に配設され、ノズルヘッド２に応力が付与されていない状態において、シリンダ１１内に流入した流動体の連結筒１３の流動体流通路１３１への漏洩を防止する漏洩防止機構１８とを備える。
【００２６】
また、この流動体吐出ポンプ１は、ノズルヘッド２と連結筒１３との間を結合するための連結筒補助部材１９をさらに備える。
【００２７】
なお、ピストン１２は、例えば、シリコンゴム等の樹脂を原材料とし、その外周部が、シリンダ１１の内壁面と密接するように形成されている。
【００２８】
コイルバネ１７は、強力な付勢力を得るために、金属製のものが使用される。ただし、このコイルバネ１７は、連結筒１３および連結筒補助部材１９の外周部に配設されていることから、連結筒１３の内部を通過する流動体と接触することはない。
【００２９】
図７（ａ）は流動体吐出ポンプ１における流入弁機構１４を構成する流入弁部材１４１を示す正面図、図７（ｂ）はその側断面図、図７（ｃ）はその裏面図である。
【００３０】
図７に示すように、流入弁部材１４１は、流動体貯留部４内に貯留された流動体をシリンダ１１内へ流入させるためのシリンダ１１の下端部に形成された開口部１１１と対応する形状を有する弁体１４１ａと、シリンダ１１内に固定される支持部１４１ｂと、弁体１４１ａと支持部１４１ｂとを連結する４個の連結部１４１ｃとを備える。この４個の連結部１４１ｃは、おのおの、一対の屈曲部１４１ｄを有する。これにより、この流入弁部材１４１は、より好適な可撓性を有する。また、流入弁部材１４１における支持部１４１ｂの内部には、筒状の壁面１８２ａが形成され、蓋部材１８１により開放状態と閉止状態とに切り替えられる漏洩防止機構１８の本体１８２を構成する。
【００３１】
このような流入弁機構１４は、シリンダ１１の下端部に形成された流動体貯留部４とシリンダ１１とを連通する開口部１１１を閉止および開放するためのものである。この流入弁機構１４は、シリンダ１１内が減圧されないときには、流入弁部材１４１における弁体１４１ａが開口部１１１と当接する位置に配置され、開口部１１１を閉止する。一方、シリンダ１１内が減圧されたときには、流入弁部材１４１における連結部１４１ｃの作用により、弁体１４１ａが開口部１１１から離隔する位置に配置され、開口部１１１を開放する。
【００３２】
図８（ａ）は流動体吐出ポンプ１における連結筒補助部材１９を示す正面図、図８（ｂ）はその側断面図、図８（ｃ）はその裏面図である。
【００３３】
図９（ａ）は流動体吐出ポンプ１における流出弁機構１５を構成する流出弁部材１５１を示す正面図、図９（ｂ）はその側断面図、図９（ｃ）はその裏面図である。
【００３４】
図８に示すように、連結筒補助部材１９は、流出弁機構１５を構成する開口部１５２ａと、流出弁機構１５を構成し、流出弁部材１５１の基部１５１ｂを支持する支持部１５２ｂと、連結筒１３の上部と結合する結合部１３１と、ノズルヘッド２内に挿嵌することにより固定される挿嵌部１３３とを備える。
【００３５】
また、図９に示すように、流出弁部材１５１は、連結筒補助部材１９における開口部１５２ａの内面と当接する可撓性のある略皿状の弁部１５１ａと、連結筒補助部材１９における支持部１５２ｂに支持される基部１５１ｂとを備える。なお、基部１５１ｂには、流動体が流通するための通過溝１５１ｃが形成されている。
【００３６】
このような流出弁機構１５は、連結筒１３における流動体流通路１３１とノズルヘッド２における流出部２１２とを連通する開口部１５２ａを閉止および開放するためのものである。この流出弁機構１５は、連結筒１３の流動体流通路１３１内が加圧されたときには、流出弁機構における弁体１５１ａが開口部１５２ａの内面から離隔する位置に配置され、開口部１５２ａを開放する。一方、連結筒１３の流動体流通路１３１内が加圧されないときには、流出弁機構における弁体１５１ａが開口部１５２ａの内面と当接する位置に配置され、開口部１５２ａを閉止する。
【００３７】
図１０（ａ）は流動体吐出ポンプ１における連結筒１３を示す正面図、図１０（ｂ）はその側断面図である。
【００３８】
図１０に示すように、連結筒１３は、連結筒補助部材１９の結合部に挿嵌されることにより固定されるための挿嵌部１３３と、ピストン１２を固定するための固定部１３４と、漏洩防止機構１８を構成する蓋部材１８１を支持するための凹部１３５とを備える。また、連結筒１３の内部には、流動体流通路１３１が形成される。そして、連結筒１３の内部にはさらに、凹部１３５により支持される蓋部材１８１よりも上方に位置し、流動体流通路１３１と連結筒１３の外部とを連通する流入口１３２とが形成される。
【００３９】
図１１（ａ）は流動体吐出ポンプ１における漏洩防止機構１８を構成する蓋部材１８１を示す正面図、１２（ｂ）はその側断面図である。
【００４０】
図１１に示すように、蓋部材１８１は、流入弁機構１４を構成する流入弁部材１４１の支持部１４１ｂの内側に形成される壁面１８２ａと当接する可撓性のある略皿状の漏洩防止弁１８１ａと、連結筒１３１の凹部１３５と係合するための凸部１８１ｂとを備える。
【００４１】
漏洩防止機構１８は、壁面１８２ａを有する本体１８２と、漏洩防止弁１８１ａを有する蓋部材１８１とから構成される。この漏洩防止機構１８は、ノズルヘッド２に応力が付与されていない状態において、シリンダ１１内に流入した流動体の連結筒１３の流動体流通路１３１への漏洩を防止するためのものである。そして、漏洩防止機構１８は、ノズルヘッド２が押圧されることにより、流入弁機構１４と漏洩防止機構１８とから形成される空間内が加圧されたときには、可撓性を有する漏洩防止弁１８１ａが壁面１８２ａから離隔する位置に配置され、流入弁機構１４と漏洩防止機構１８とから形成される空間内の流動体が連結筒１３における流入口１３２へ流入することが可能となる。一方、ノズルヘッド２への押圧が解除されることにより、流入弁機構１４と漏洩防止機構１８とから形成される空間内が加圧されないときには、可撓性を有する漏洩防止弁１８１ａが壁面１８２ａと当接する位置に配置され、流入弁機構１４と漏洩防止機構１８とから形成される空間から連結筒１３内に流動体が漏洩することを防止することが可能となる。
【００４２】
図１２は、この発明の第１実施形態に係る流動体吐出ポンプ１の構成を示す説明図である。
【００４３】
図１２に示すように、このピストン１２を固設した連結筒１３の上端部は、連結筒補助部材１９の内部に挿嵌されて固定される。また、連結筒補助部材１９の上端部は、ノズルヘッド２における案内部材２２の内部に挿嵌されて固定される。さらに、連結筒１３の下端部に形成される凹部１３５は、漏洩防止機構１８の蓋部材１８１に形成される凸部１８１ｂと係合し、漏洩防止機構１８は、連結筒１３に固定される。
【００４４】
以上のような構成により、ピストン１２、連結筒１３、漏洩防止機構１８における蓋部材１８１、連結筒補助部材１９、および、ノズルヘッド２は、一体となって移動する。
【００４５】
このような構成を有する流動体吐出ポンプ１の流動体吐出動作について、再度図４乃至図６を用いて説明する。
【００４６】
図４に示すように、流動体吐出ポンプ１に応力を付与することなく放置した状態において、流動体吐出ポンプ１は、流入弁部材１４１における弁体１４１ａが開口部１１１と当接する位置に配置され、流出弁機構における弁体１５１ａが開口部１５２ａの内面と当接する位置に配置され、さらに、漏洩防止弁１８１ａが壁面１８２ａと当接する位置に配置されている。このため、流入弁機構１４と漏洩防止機構１８とから形成される空間から流動体が漏洩することを防止することが可能となる。
【００４７】
図５に示すように、ノズルヘッド２における押圧部２２１が押圧されると、ピストン１２、連結筒１３、漏洩防止機構１８における蓋部材１８１、連結筒補助部材１９、および、ノズルヘッド２は、一体となって下降する。
【００４８】
このとき、流入弁機構１４と漏洩防止機構１８とから形成される空間が縮小することにより、この空間内が加圧される。この流入弁機構１４と漏洩防止機構１８とから形成される空間内の加圧により、可撓性を有する漏洩防止弁１８１ａが壁面１８２ａから離隔する位置に配置され、流入弁機構１４と漏洩防止機構１８とから形成される空間内の流動体が連結筒１３における流入口１３２へ流入する。
【００４９】
そして、連結筒１３の流入口１３２からの流動体の流入により、連結筒１３の流動体流通路１３１内が加圧される。この流動体流通路１３１内が加圧されることにより、流出弁機構１５が下方より加圧され、流出弁機構における弁体１５１ａが開口部１５２ａの内面から離隔する位置に配置される。これにより、開口部１５２ａが開放され、流動体が流出弁機構１５を通過して流出部２１２から外部へ流出する。
【００５０】
図６に示すように、ノズルヘッド２における押圧部２２１への押圧が解除されると、コイルバネ１７の付勢力により、連結筒１３がピストン１２とともに上昇する。
【００５１】
このとき、流入弁機構１４と漏洩防止機構１８とから形成される空間が拡大することにより、この空間内が減圧される。この流入弁機構１４と漏洩防止機構１８とから形成される空間内の減圧により、可撓性を有する漏洩防止弁１８１ａが壁面１８２ａと当接する位置に配置される。また、流入弁部材１４１における連結部１４１ｃの作用により、弁体１４１ａが開口部１１１から離隔する位置に配置されて、開口部１１１を開放する。そして、流動体貯留部４内に貯留された流動体が流入弁機構１４を通過してシリンダ１１内に流入する。
【００５２】
この発明の第１実施形態に係る流動体吐出ポンプ１は、以上のような構成を有することから、簡易な構成でありながら、流動体の漏洩を確実に防止でき、また、コイルバネ１７の腐食を防止して流動体吐出ポンプの清潔な状態を維持することが可能となる。
【００５３】
次に、この発明の他の実施形態について図面に基づいて説明する。図１３乃至図１５は、この発明の第２実施形態に係る流動体吐出ポンプ５を適用した流動体容器の縦断面図である。なお、これらの図のうち、図１３は流動体吐出ポンプ５に応力を付与することなく放置した状態を、図１４はノズルヘッド２の押圧部２２１が押圧されることにより、連結筒１３がピストン１２とともに下降しつつある状態を、また、図１５はノズルヘッド２の押圧部２２１への押圧が解除されることにより、連結筒１３がピストン１２とともに上昇しつつある状態を示している。なお、上述した第１実施形態と同一の部材については同一の符号を付して詳細な説明を省略する。
【００５４】
第１実施形態に係る流動体容器は、流動体吐出ポンプ１から構成されるのに対し、第２実施形態に係る流動体容器は、流動体吐出ポンプ５から構成される。
【００５５】
この第２実施形態に係る流動体容器において、第１実施形態に係る流動体容器と同様に、図１４に示すように、開放状態に切り替えられたノズルヘッド２における押圧部２２１を押圧して上下方向に往復移動させることにより、後に詳細に説明する流動体吐出ポンプ５の作用で、流動体貯留部４内に貯留された流動体がノズルヘッド２における流出部２１２から吐出される。そして、図１５に示すように、流動体貯留部４内の流動体の減少に伴って、ピストン部材４２がシリンダ部材４１内をノズルヘッド２方向に移動する。
【００５６】
次に、この発明の第２実施形態に係る流動体吐出ポンプ５の構成について説明する。図１６乃至図１８は、この発明の第２実施形態に係る流動体吐出ポンプ５をノズルヘッド２とともに示す縦断面図である。
【００５７】
なお、これらの図のうち、図１６は流動体吐出ポンプ５に応力を付与することなく放置した状態を、図１７はノズルヘッド２における押圧部２２１が押圧されることにより、連結筒５３がピストン５２とともに下降しつつある状態を、図１８はノズルヘッド２の押圧部２２１への押圧が解除されることにより、連結筒５３がピストン５２とともに上昇しつつある状態を示している。
【００５８】
この流動体吐出ポンプ５は、流動体貯留部４の上部に配設されたシリンダ５１と、シリンダ５１内を往復移動可能なピストン５２と、ノズルヘッド２とピストン５２とを連結することにより、ノズルヘッド２に付与された押圧力をピストン１２に伝達してピストン１２を下降させるための中空状の流動体流通路５３１が形成された連結筒５３と、連結筒５３を介してピストン５２を上昇させる方向に付勢するための連結筒５３およびシリンダ５１の外周部に配設された弾性部材としてのコイルバネ５７と、流動体貯留部４内に貯留された流動体をピストン５２の上昇動作に伴ってシリンダ５１内に流入させるための流入弁機構５４と、シリンダ５２内に流入した流動体を連結筒５３の流動体流通路５３１を介してノズルヘッド２に流出させるための流出弁機構５５と、連結筒５３の下部に配設され、ノズルヘッド２に応力が付与されていない状態において、シリンダ５１内に流入した流動体の連結筒５３の流動体流通路５３１への漏洩を防止する漏洩防止機構５８とを備える。
【００５９】
図１９（ａ）は流動体吐出ポンプ５におけるシリンダ５１を示す正面図、図１９（ｂ）はその側断面図、図１９（ｃ）はその裏面図である。
【００６０】
図１９に示されるように、シリンダ５１は、流動体貯留部４と係合する係合部５１１と、下部に流入弁機構を固設するための固定部５１２と、ピストン５２をその外周面が密接して移動するためのピストン移動部５１３と、ピストン移動部５１３の下方に配置され、後に詳細に説明する漏洩防止部材５８における本体として機能する筒状の壁面５１４と、コイルバネ５７の下端を挿入して固定するためのコイルバネ固定部５１５とを備える。
【００６１】
図２０（ａ）は流動体吐出ポンプ５における流入弁機構５４を構成する流入弁部材５４１を示す側断面図、図２０（ｂ）はその裏面図である。
【００６２】
また、図２１（ａ）は流動体吐出ポンプ５における流入弁機構５４を構成する流入弁座部材５４２を示す正面図、図２１（ｂ）はその側断面図である。
【００６３】
流入弁機構５４は、流入弁部材５４１と流入弁座部材５４２とから構成される。
【００６４】
流入弁座部材５４２は、流動体貯留部４内に貯留された流動体をシリンダ５１内へ流入させるために形成された開口部５４２ａと、シリンダ５１に配置された固定部５１２と係合するための凸部５４２ｂと、流入弁部材５４１を固定するための弁部材固定部５４２ｃとを備える。
【００６５】
流入弁部材５４１は、流入弁座部材５４２に形成された開口部５４２ａと対応する形状を有する弁体５４１ａと、流入弁座部材５４２の弁部材固定部５４２ｃと結合して固定される支持部５４１ｂと、弁体５４１ａと支持部５４１ｂとを連結する４個の連結部５４１ｃとを備える。この４個の連結部５４１ｃは、おのおの一対の屈曲部５４１ｄを有する。これにより、この流入弁部材５４１は、より好適な可撓性を有する。
【００６６】
このような流入弁機構５４は、シリンダ５１に固定され流動体貯留部４とシリンダ５１流入弁座部材５４２に形成される開口部５４２ａを閉止および開放するためのものである。この流入弁機構５４は、シリンダ５１内が減圧されないときには、流入弁部材５４１における弁体５４１ａが流入弁座部材５４２における開口部５４２ａと当接する位置に配置され、開口部５４２ａを閉止する。一方、シリンダ５１内が減圧されたときには、流入弁部材５４１における連結部５４１ｃの作用により、弁体５４１ａが流入弁座部材５４２における開口部５４２ａから離隔する位置に配置され、開口部５４２ａを開放する。
【００６７】
図２２（ａ）は流動体吐出ポンプ５における流出弁機構５５を構成する流出弁座部材５５２を示す正面図、図２２（ｂ）はその側断面図、図２２（ｃ）はその裏面図である。
【００６８】
流出弁機構５５は、流出弁部材５５１と流出弁座部材５５２とから構成される。なお、流出弁部材５５１は第１実施形態に係る流出弁部材１５１と同一の構成を有しており、ここでは、詳細な説明を省略する。
【００６９】
流出弁座部材５５２は、流出弁部材５５１における弁部に対応する形状を有する円筒状の開口部５５２ａと、流出弁部材５５１の基部を支持する支持部５５２ｂと、後に詳細に説明する連結筒５３の上部と結合する結合部５５２ｃと、シリンダ５１内に挿嵌されることにより固定される挿嵌部５５２ｄとを備える。
【００７０】
このような流出弁機構５５は、連結筒５３における流動体流通路５３１とノズルヘッド２における流出部２１２とを連通する流出弁座部材５５２の上下に通じる流通路を閉止および開放するためのものである。この流出弁機構５５は、連結筒５３の流動体流通路５３１内が加圧されたときには、流出弁機構５５における流出弁部材５５１の弁体が開口部５５２ａから離隔する位置に配置され、流出弁座部材５５２の上下に通じる流通路を開放する。一方、連結筒５３の流動体流通路５３１内が加圧されないときには、流出弁機構５５における流出弁部材５５１の弁体は開口部５５２ａと当接する位置に配置され、流出弁座部材５５２の上下に通じる流通路を閉止する。
【００７１】
図２３（ａ）は流動体吐出ポンプ５における連結筒５３を漏洩防止機構５８を構成する蓋部材５８１とともに示す正面図、図２３（ｂ）はその側断面図である。
【００７２】
連結筒５３は、流出弁座部材５５２の結合部５５２ｃに挿嵌されることにより固定されるための結合部５３３と、ピストン１２を固定するための固定部５３４とを備える。また、連結筒５３の内部には、流動体流通路５３１が形成される。そして、連結筒５３の内部にはさらに流動体流通路５３１と連結筒５３の外部とを連通する流入口５３２とが形成される。
【００７３】
漏洩防止機構５８を構成する蓋部材５８１は、可撓性を有し、シリンダ５１において漏洩防止部材５８における本体として機能する筒状の壁面５１４に対応する略皿状の形状からなる。
【００７４】
なお、第２実施形態においては、連結筒５３と漏洩防止機構５８における蓋部材５８１とは一体として形成される。このため、製造が容易、かつ、低コストで、簡易な構成でありながら、流動体吐出ポンプ５の清潔な状態を維持することが可能となる。
【００７５】
漏洩防止機構５８は、シリンダ５１における壁面５１４と、蓋部材５８１とから構成される。この漏洩防止機構５８は、ノズルヘッド２に応力が付与されていない状態において、シリンダ５１内に流入した流動体の連結筒５３の流動体流通路５３１への漏洩を防止するためのものである。そして、漏洩防止機構５８は、ノズルヘッド２が押圧されることにより、流入弁機構５４と漏洩防止機構５８により形成される空間内が加圧されたときには、可撓性を有する蓋部材５８１の外周面が壁面５１４から離隔する位置に配置され、流入弁機構５４と漏洩防止機構５８とから形成された空間内の流動体が連結筒５３における流入口５３２へ流入することが可能となる。一方、ノズルヘッド２への押圧が解除されることにより、流入弁機構５４と漏洩防止機構５８とから形成される空間内が加圧されないときには、可撓性を有する蓋部材５８１の外周面が壁面５１４と当接する位置に配置され、流入弁機構５４と漏洩防止機構５８とから形成される空間から連結筒５３内に流動体が漏洩することを防止することが可能となる。
【００７６】
なお、ピストン５２は、第１実施形態に係るピストン１２と同様の構成を有しており、シリコンゴム等の樹脂を原材料とし、その外周部が、シリンダ５１におけるピストン移動部５１３と密接するように形成されている。
【００７７】
図２４は、この発明の第２実施形態に係る流動体吐出ポンプ１の構成を示す説明図である。
【００７８】
図２４に示すように、このピストン１２を固設した連結筒１３の上端部は、シリンダ５１内において、流出弁部材５５１と流出弁座部材５５２とから構成され、シリンダ５１の流出弁機構５５における結合部５５２ｃに挿嵌されて固定される。また、流出弁機構５５における挿嵌部５５２ｄは、シリンダ５１内に挿嵌されて固定される。さらに、流入弁部材５４１と流入弁座部材５４２とから構成された流入弁機構５４は、シリンダ５１における固定部５１２と流入弁機構５４における凸部５４２ｂとが結合することにより固定される。
【００７９】
以上のような構成により、ピストン５２、連結筒５３、および、ノズルヘッド２は、一体となって移動する。
【００８０】
このような構成を有する流動体吐出ポンプ５の流動体吐出動作について、再度図１６乃至図１８を用いて説明する。
【００８１】
図１６に示すように、流動体吐出ポンプ５に応力を付与することなく放置した状態において、流動体吐出ポンプ５は、流入弁部材５４１における弁体５４１ａが流入弁座部材５４２における開口部５４２ａと当接する位置に配置され、流出弁部材５５１における弁体５５１ａが開口部１５２ａの内面と当接する位置に配置され、さらに、蓋部材５８１が壁面５１４と当接する位置に配置されている。このため、流入弁機構５４と漏洩防止機構５８とから形成される空間から流動体が漏洩することを防止することが可能となる。
【００８２】
図１７に示すように、ノズルヘッド２における押圧部２２１が押圧されると、ピストン５２、連結筒５３、および、ノズルヘッド２は、一体となって下降する。
【００８３】
このとき、流入弁機構５４と漏洩防止機構５８とから形成される空間が縮小することにより、この空間内が加圧される。この流入弁機構５４と漏洩防止機構１８とから形成される空間内の加圧により、可撓性を有する蓋部材５８１がシリンダ５１の壁面５１４から離隔する位置に配置され、流入弁機構５４と漏洩防止機構５８とから形成される空間内の流動体が連結筒５３における流入口５３２へ流入する。
【００８４】
そして、連結筒５３の流入口５３２からの流動体の流入により、連結筒５３の流動体流通路５３１内が加圧される。この流動体流通路５３１内が加圧されることにより、流出弁機構５５が下方より加圧され、流出弁部材５５１の弁体５５１ａが流出弁座部材５５２の開口部５５２ａの内面から離隔する位置に配置される。これにより、開口部５５２ａが開放され、流動体が流出弁機構５５を通過して流出部２１２から外部へ流出する。
【００８５】
図１８に示すように、ノズルヘッド２における押圧部２２１への押圧が解除されると、コイルバネ５７の付勢力により、連結筒５３がピストン５２とともに上昇する。
【００８６】
このとき、流入弁機構５４と漏洩防止機構５８とから形成される空間が拡大することにより、この空間内が減圧される。この流入弁機構５４と漏洩防止機構５８とから形成される空間内の減圧により、可撓性を有する蓋部材５８１がシリンダ５１の壁面５１４と当接する位置に配置される。また、流入弁部材５４１における連結部５４１ｃの作用により、弁体５４１ａが流入弁座部材５４２の開口部５４２ａから離隔する位置に配置されて、開口部５４２ａを開放する。そして、流動体貯留部４内に貯留された流動体が流入弁機構５４を通過してシリンダ５１内に流入する。
【００８７】
この発明の第２実施形態に係る流動体吐出ポンプ５は、以上のような構成を有することから、簡易な構成でありながら流動体の漏洩を確実に防止でき、また、コイルバネ５７の腐食を防止して流動体吐出ポンプの清潔な状態を維持することが可能となる。
【００８８】
なお、上述した第１実施形態および第２実施形態における流入弁機構１４、５４、および流出弁機構１５、５５は、たとえば、ポリエチレンやポリプロピレン等の樹脂、シリコンゴム等の合成ゴム、あるいはこれらの混合物等を使用した材料により構成されることが好ましい。
【図面の簡単な説明】
【００８９】
【図１】この発明の第１実施形態に係る流動体吐出ポンプ１を適用した流動体容器の縦断面図である。
【図２】この発明の第１実施形態に係る流動体吐出ポンプ１を適用した流動体容器の縦断面図である。
【図３】この発明の第１実施形態に係る流動体吐出ポンプ１を適用した流動体容器の縦断面図である。
【図４】この発明の第１実施形態に係る流動体吐出ポンプ１をノズルヘッド２とともに示す縦断面図である。
【図５】この発明の第１実施形態に係る流動体吐出ポンプ１をノズルヘッド２とともに示す縦断面図である。
【図６】この発明の第１実施形態に係る流動体吐出ポンプ１をノズルヘッド２とともに示す縦断面図である。
【図７】流動体吐出ポンプ１における流入弁機構１４を構成する流入弁部材１４１を示す説明図である。
【図８】流動体吐出ポンプ１における連結筒補助部材１９を示す説明図である。
【図９】流動体吐出ポンプ１における流出弁機構１５を構成する流出弁部材１５１を示す説明図である。
【図１０】流動体吐出ポンプ１における連結筒１３を示す説明図である。
【図１１】流動体吐出ポンプ１における漏洩防止機構１８を構成する蓋部材１８１を示す説明図である。
【図１２】この発明の第１実施形態に係る流動体吐出ポンプ１の構成を示す説明図である。
【図１３】この発明の第２実施形態に係る流動体吐出ポンプ５を適用した流動体容器の縦断面図である。
【図１４】この発明の第２実施形態に係る流動体吐出ポンプ５を適用した流動体容器の縦断面図である。
【図１５】この発明の第２実施形態に係る流動体吐出ポンプ５を適用した流動体容器の縦断面図である。
【図１６】この発明の第２実施形態に係る流動体吐出ポンプ５をノズルヘッド２とともに示す縦断面図である。
【図１７】この発明の第２実施形態に係る流動体吐出ポンプ５をノズルヘッド２とともに示す縦断面図である。
【図１８】この発明の第２実施形態に係る流動体吐出ポンプ５をノズルヘッド２とともに示す縦断面図である。
【図１９】流動体吐出ポンプ５におけるシリンダ５１を示す説明図である。
【図２０】流動体吐出ポンプ５における流入弁機構５４を構成する流入弁部材５４１を示す説明図である。
【図２１】流動体吐出ポンプ５における流入弁機構５４を構成する流入弁座部材５４２を示す説明図である。
【図２２】流動体吐出ポンプ５における流出弁機構５５を構成する流出弁座部材５５２を示す説明図である。
【図２３】流動体吐出ポンプ５における連結筒５３を漏洩防止機構５８を構成する蓋部材５８１とともに示す説明図である。
【図２４】この発明の第２実施形態に係る流動体吐出ポンプ１の構成を示す説明図である。
【符号の説明】
【００９０】
１        流動体吐出ポンプ
２        ノズルヘッド
３        外蓋
４        流動体貯留部
１１      シリンダ
１２      ピストン
１３      連結筒
１４      流入弁機構
１５      流出弁機構
１６      ネジ部材
１７      コイルバネ
１８      漏洩防止機構
１９      連結筒補助部材
２１      管状部材
２２      案内部材
４１      シリンダ部材
４２      ピストン部材
４３      内蓋
４３ａ    通気孔
４４      外蓋
４４ａ    通気孔
５１      シリンダ
５２      ピストン
５３      連結筒
５４      流入弁機構
５５      流出弁機構
５７      コイルバネ
５８      漏洩防止機構
１１１    開口部
１３１    流動体流通路
１３２    流入口
１３３    挿嵌部
１３４    固定部
１３５    凹部
１４１    流入弁部材
１４１ａ  弁体
１４１ｂ  支持部
１４１ｃ  連結部
１４１ｄ  屈曲部
１５１    流出弁部材
１５１ａ  弁体
１５１ｂ  基部
１５１ｃ  通過溝
１８１    蓋部材
１８１ａ  漏洩防止弁
１８１ｂ  凸部
２１１    流入部
２１２    流出部
２１３    凸部
２２１    押圧部
２２２    開口部
２２３    案内部
５１１    係合部
５１２    固定部
５１３    ピストン移動部
５１４    壁面
５１５    コイルバネ固定部
５３１    流動体流通路
５３２    流入口
５３３    結合部
５３４    固定部
５４１    流入弁部材
５４１ａ  弁体
５４１ｂ  支持部
５４１ｃ  連結部
５４１ｄ  屈曲部
５４２    流入弁座部材
５４２ａ  開口部
５４２ｂ  凸部
５４２ｃ  弁部材固定部
５５１    流出弁部材
５５２    流出弁座部材
５５２ａ  開口部
５５２ｂ  支持部
５５２ｃ  結合部
５５２ｄ  挿嵌部
【図１】
2005280712.tif 000003
【図２】
2005280712.tif 000004
【図３】
2005280712.tif 000005
【図４】
2005280712.tif 000006
【図５】
2005280712.tif 000007
【図６】
2005280712.tif 000008
【図７】
2005280712.tif 000009
【図８】
2005280712.tif 000010
【図９】
2005280712.tif 000011
【図１０】
2005280712.tif 000012
【図１１】
2005280712.tif 000013
【図１２】
2005280712.tif 000014
【図１３】
2005280712.tif 000015
【図１４】
2005280712.tif 000016
【図１５】
2005280712.tif 000017
【図１６】
2005280712.tif 000018
【図１７】
2005280712.tif 000019
【図１８】
2005280712.tif 000020
【図１９】
2005280712.tif 000021
【図２０】
2005280712.tif 000022
【図２１】
2005280712.tif 000023
【図２２】
2005280712.tif 000024
【図２３】
2005280712.tif 000025
【図２４】
2005280712.tif 000026